(57)【特許請求の範囲】
【請求項１】
互いに対向する第１及び第２の辺と、前記第１及び第２の辺の一端において前記第１及び第２の辺を連結する第３の辺と、前記第１及び第２の辺の他端から延びる支持部とを有する枠体と、
前記枠体の支持部に取り付けられ、前記枠体を小便器の端部に固定する固定具と、
前記枠体の各辺が囲む領域を覆うように、前記枠体に装着されるカバーと、を備え、
前記固定具が前記小便器の端部に固定された状態において、前記小便器に対する前記枠体の傾斜角度が設定されるように、前記第１及び第２の辺と前記支持部との間の角度を調整可能であることを特徴とする便器尿垂れ補助装置。
【請求項２】
請求項１に記載の便器尿垂れ補助装置において、
前記枠体は、前記第１及び第２の辺と前記支持部が連結される位置に、前記小便器に対する前記枠体の傾斜角度を設定することができるねじを有することを特徴とする便器尿垂れ補助装置。
【請求項３】
請求項１または２に記載の便器尿垂れ補助装置において、
前記カバーは、可撓性を有する板を含み、
前記カバーの板は、前記カバーが前記枠体に装着された状態において、前記枠体の各辺が囲む領域を覆うことを特徴とする便器尿垂れ補助装置。
【請求項４】
請求項３に記載の便器尿垂れ補助装置において、
前記枠体は、前記第１及び第２の辺にそれぞれ設けられ、前記カバーの板を取り付ける取り付け部を有し、
該取付け部は、前記カバーの板を挟み込む構造であることを特徴とする便器尿垂れ補助装置。
【請求項５】
請求項１乃至４のいずれか１つに記載の便器尿垂れ補助装置において、
前記固定具は、前記小便器に吸着する吸盤を含むことを特徴とする便器尿垂れ補助装置。
【請求項６】
請求項１乃至５のいずれか１つに記載の便器尿垂れ補助装置であって、
前記枠体の前記第３の辺は略中央において曲がり、
前記第３の辺の略中央における屈曲角度は、可変であることを特徴とする便器尿垂れ補助装置。
【請求項７】
請求項６に記載の便器尿垂れ補助装置であって、
前記枠体の前記第３の辺は、該辺の略中央において、ねじによって連結される二辺を含み、
前記ねじにおいて、前記屈曲角度を調整することができるねじを有することを特徴とする便器尿垂れ補助装置。
【請求項８】
請求項１乃至７のいずれか１つに記載の便器尿垂れ補助装置であって、
前記枠体は、前記第１及び第２の辺の他端に連結し、前記第３の辺に対向する第４の辺を備え、
前記枠体の前記第４の辺は略中央において曲がり、
前記第４の辺の略中央における屈曲角度は、可変であることを特徴とする便器尿垂れ補助装置。
【請求項９】
請求項８に記載の便器尿垂れ補助装置であって、
前記枠体の各辺が囲む領域の形状は、略矩形であることを特徴とする便器尿垂れ補助装置。
【請求項１０】
請求項１乃至７のいずれか１つに記載の便器尿垂れ補助装置であって、
枠体の囲む領域は、略三角形であることを特徴とする便器尿垂れ補助装置。
【請求項１１】
請求項１乃至１０のいずれか１つに記載の便器尿垂れ補助装置であって、
前記カバーの表面に、所定の模様が形成されていることを特徴とする便器尿垂れ補助装置。
【発明の詳細な説明】
【技術分野】
【０００１】
本発明は、男性用の小便器の機能を補助する便器尿垂れ補助装置に関し、特に、小便による男性用小便器の周辺及び、小便をするものの衣服の汚染を防止する尿垂れ防止器に関する。
【背景技術】
【０００２】
従来、公衆トイレなどに設置された男性用小便器には種々の形状を有するものがあるが、一般的に、使用時の尿垂れによって汚染が進行するという問題がある。男性用小便器の使用時の最中に、小便は一定の方向に放射されないために、小便のだし終わりの垂れが小便をする者の衣服を汚染したり、男性用小便器の周辺を汚染したりすることが多々あるのが現状である。
【０００３】
公衆トイレの汚染防止を目的とする技術として、例えば特許文献１がある。特許文献１に係る尿受器本体はタイル、合性樹脂等の素材で構成されている。しかしながら、該尿受器本体がタイル又は、合性樹脂等の素材で製造されていることにより、比較的その製造単価が高価になるという問題を有する。さらに、尿受器本体と一体となっている跳ね止め品は、繊維の編込品又は短毛ブラシ状に成形したシートを尿受器本体の上面に組み付けて一体に構成されている。この場合、該繊維の編込品又は短毛ブラシ状に成形したシートの洗浄は容易とは考えられないので、繰り返し使用する際の衛生面に問題がある。加えて、既製の小便器の尿受部を単に延長して小便の跳ねや飛散を防止するものであるので、小便の出し終わりの垂れを有効に防止できない。
【先行技術文献】
【特許文献】
【０００４】
【特許文献１】登録実用新案第３０４９３２８号公報
【発明の概要】
【発明が解決しようとする課題】
【０００５】
本発明は、種々の形状を有する公衆の小便器において、小便の出し終わりの垂れが便器の外側を汚染することを防ぐことができる便器尿垂れ補助装置を提供することを目的とする。
【課題を解決するための手段】
【０００６】
第１の発明は便器尿垂れ補助装置に係り、
互いに対向する第１及び第２の辺と、前記第１及び第２の辺の一端において前記第１及び第２の辺を連結する第３の辺と、前記第１及び第２の辺の他端から延びる支持部とを有する枠体と、
前記枠体の支持部に取り付けられ、前記枠体を小便器の端部に固定する固定具と、
前記枠体の各辺が囲む領域を覆うように、前記枠体に装着されるカバーと、を備え、
前記固定具が前記小便器の端部に固定された状態において、前記小便器に対する前記枠体の傾斜角度が設定されるように、前記第１及び第２の辺と前記支持部との間の角度を調整可能であることを特徴とする。
【０００７】
第２の発明は、第１の発明に記載の便器尿垂れ補助装置に係り、
前記枠体は、前記第１及び第２の辺と前記支持部が連結される位置に、前記小便器に対する前記枠体の傾斜角度を設定することができるねじを有することを特徴とする。
【０００８】
第３の発明は、第１の発明または第２の発明に記載の便器尿垂れ補助装置に係り、
前記カバーは、可撓性を有する板を含み、
前記カバーの板は、前記カバーが前記枠体に装着された状態において、前記枠体の各辺が囲む領域を覆うことを特徴とする。
【０００９】
第４の発明は、第３の発明に記載の便器尿垂れ補助装置に係り、
前記枠体は、前記第１及び第２の辺にそれぞれ設けられ、前記カバーの板を取り付ける取り付け部を有し、
該取付け部は、前記カバーの板を挟み込む構造であることを特徴とする。
【００１０】
第５の発明は、第１乃至第４の発明のいずれか１つに記載の便器尿垂れ補助装置に係り、
前記固定具は、前記小便器に吸着する吸盤を含むことを特徴とする。
【００１１】
第６の発明は、第１乃至第５の発明のいずれか１つに記載の便器尿垂れ補助装置に係り、
前記枠体の前記第３の辺は略中央において曲がり、
前記第３の辺の略中央における屈曲角度は、可変であることを特徴とする。
【００１２】
第７の発明は、第６の発明に記載の便器尿垂れ補助装置に係り、
前記枠体の前記第３の辺は、該辺の略中央において、ねじによって連結される二辺を含み、
前記ねじにおいて、前記屈曲角度を調整することができるねじを有することを特徴とする。
【００１３】
第８の発明は、第１乃至第７の発明のいずれか１つに記載の便器尿垂れ補助装置に係り、
前記枠体は、前記第１及び第２の辺の他端に連結し、前記第３の辺に対向する第４の辺を備え、
前記枠体の前記第４の辺は略中央において曲がり、
前記第４の辺の略中央における屈曲角度は、可変であることを特徴とする。
【００１４】
第９の発明は、第８の発明に記載の便器尿垂れ補助装置に係り、
前記枠体の各辺が囲む領域の形状は、略矩形であることを特徴とする。
【００１５】
第１０の発明は、第１乃至第７の発明のいずれか１つに記載の便器尿垂れ補助装置に係り、
枠体の囲む領域は、略三角形であることを特徴とする。
【００１６】
第１１の発明は、第１乃至第１０の発明のいずれか１つに記載の便器尿垂れ補助装置に係り、
前記カバーの表面に、所定の模様が形成されていることを特徴とする。
【発明の効果】
【００１７】
本発明に係る便器尿垂れ補助装置によると、種々の形状を有する公衆の小便器に設置して、小便の出し終わりの垂れを防ぐことができる。また、プラスチックや被膜された金属などの安価な素材で、種々の形状の公衆便器に、安易に取り付けられる便器尿垂れ補助装置を製造することができる。そのため、公衆便所の衛生環境の向上に貢献する便器尿垂れ補助装置を提供できる。
【図面の簡単な説明】
【００１８】
【図１】本発明に係る便器尿垂れ補助装置を備えた男性用小便器の正面図である。
【図２】本発明に係る便器尿垂れ補助装置を備えた男性用小便器の側面図である。
【図３】別の形状を有する小便器の上面図である。（ａ）はＶ字型、（ｂ）はＵ字型、（ｃ）はＶ字型とＵ字型の混合型である。
【図４】（ａ）は本発明に係る便器尿垂れ補助装置を備えた男性用小便器の拡大正面図である。（ｂ）は本発明に係る便器尿垂れ補助装置の固定具の上面図である。
【図５】（ａ）は本発明に係る便器尿垂れ補助装置の枠体の上面図である。（ｂ）は本発明に係る便器尿垂れ補助装置の枠体の枠体１１０の上面図であって、ねじを外した様子を表す説明図ある。（ｃ）は本発明に係る便器尿垂れ補助装置の正面図である。
【図６】本発明に係る便器尿垂れ補助装置の枠体の側面図である。
【図７】（ａ）は本発明に係る便器尿垂れ補助装置の別例の枠体１１０の正面図である。（ｂ）は本発明に係る便器尿垂れ補助装置の別例の枠体１１０のＡ−Ａ線断面図である。
【図８】（ａ）は本発明に係る便器尿垂れ補助装置の別例の枠体の上面図である。（ｂ）は便器尿垂れ補助装置の別例の枠体の正面図である。
【図９】図９の（ａ）は本発明に係る便器尿垂れ補助装置の袋状カバーの正面図である。図９の（ｂ）は本発明に係る便器尿垂れ補助装置の袋状カバーのＢ−Ｂ線断面図である。
【図１０】図１０の（ａ）は本発明に係る便器尿垂れ補助装置の別例の固定具の正面図である。図１０の（ｂ）は本発明に係る便器尿垂れ補助装置の該固定具の側面図である。図１０の（ｃ）は本発明に係る便器尿垂れ補助装置の該固定具の側面図である。
【発明を実施するための形態】
【００１９】
以下、本発明の実施形態１に係る便器尿垂れ補助装置を、図面を用いて説明する。
【００２０】
図１は、本発明に係る便器尿垂れ補助装置を小便器に取り付けた概要を示す正面図である。図２は、本発明に係る便器尿垂れ補助装置を便器に取り付けた概要を示す側面図である。
【００２１】
図１において、１００は本発明に係る便器尿垂れ補助装置である。本発明に係る便器尿垂れ補助装置１００は、主に公衆の小便器に取り付けられ、小便の終わり際の尿垂れを防ぐために用いられる。
【００２２】
男性用の小便器は、特に小便の終わり際に尿垂れによって、小便をする者の衣服を汚染したり、男性用小便器の周辺に飛散して周囲を汚してしまうことが多い。そこで、本発明者は、便器尿垂れ補助装置を男性用小便器に取り付けることによって、終わり際の尿垂れを防止する効果の高い構造を有する便器尿垂れ補助装置を発明した。
【００２３】
本発明に係る便器尿垂れ補助装置１００は、例えばプラスチックや、ビニール等で被膜された金属で形成された略長方形状の枠体１１０と、該枠体１１０を便器に固定する固定具１２０と、該枠体１１０に着脱可能に被せて使用するカバー１３０から構成される。また、２００は、小便器の尿受け部分であり、図２に示すように使用者側に突出している。便器尿垂れ補助装置１００は、便器尿受け部分２００の内壁に固定されて設置される。また、枠体を形成する金属の被膜については、ビニールコーティングに替えて、クロムメッキであっても良いし、塗装であっても良い。
【００２４】
公衆の小便器は、大きさや形状が様々あり、いずれの形状の小便器にも便器尿垂れ補助装置を取り付け可能であることが好ましい。そこで、本発明に係る便器尿垂れ補助装置は、種々の形状を有する小便器の形状に応じて、小便器に対して、装置を支持する支持部において、取付け角度を調整可能な枠体を採用している。ゆえに、小便器の形状に応じて、種々の形状の小便器に取り付けられ、傾斜角度を変えて設定することができる。さらに枠体は、屈曲角度が調整可能であり、これによって様々な便器の形状に対応できる。
【００２５】
また、公衆の小便器は、家庭の便器と異なり、使用頻度が多いために、ともすれば不衛生になりがちである。公衆小便器を衛生的に使用するためには、清掃の負担を軽減できることが望まれる。そこで本発明に係る便器尿垂れ補助装置には、カバー１３０を枠体１１０に着脱可能に被せている。カバー１３０は、板状であってもよいし、使い捨てできる袋状シートであってもよい。
【００２６】
ここで、便器尿垂れ補助装置１００の固定具１２０は、図２に示すように、便器２００の最も使用者に近接する位置の内壁に設置される。枠体１１０は、支持部を該固定具１２０に差し込むことによって固定される。１１４は、枠体１１０の支持部である。固定具１２０は吸盤であり、小便器に吸着する。吸盤は中央付近に穴を有する凸型の軸部分があり、その穴にそれぞれ枠体の支持部１１４を貫通させて、適宜の長さに調節され、枠体は固定具に固定される。このとき枠体１１０は、適切な角度を付けて固定具１２０に固定される。便器尿垂れ補助装置１００は角度を持たせて設置されることで尿垂れを効果的に防ぐことができる。この角度は、小便器の形状によるが一般的には、図２に示されるように床面より上方に向かって略４５度近辺であることが望ましい。
【００２７】
図３は、様々な形状を有する小便器の上面図であり、様々な形状の小便器に取り付けた固定具１２０の例示である。図３における小便器の上面図の形状は、（ａ）はＶ字型、（ｂ）はＵ字型、（ｃ) はＶ字型とＵ字型の混合型である。
【００２８】
図３において、便器尿垂れ補助装置１００を構成する固定具１２０は、様々な小便器尿受け部の形状に応じて、小便器の端部、つまり小便器の尿受け部分の内壁または縁部の上面に取り付けられている。
【００２９】
ここで固定具の吸盤を設置する位置は、小便器の便器尿受け部分２００の形状、特に縁部の幅の広さや傾き具合によって異なり、便器尿受け部分２００の内壁であっても良いし、縁上面であっても良い。固定具１２０は、図３に示すように、Ｖ字型、Ｕ字型、およびＶ字型とＵ字型の混合型などの様々な形状の小便器の主に内壁に設置できる。ゆえに、便器尿垂れ補助装置１００は、種々の形状を有する小便器の形状に設置することが可能である。
【００３０】
図４（ａ）は、便器尿垂れ補助装置１００を便器に取り付けた様子を示す拡大正面図である。図４（ｂ）は、固定具１２０の上面図である。
【００３１】
便器尿垂れ補助装置１００は、図４（ａ）に示すように、固定具１２０を介して枠体１１０を小便器２００に固定して設置される。枠体１１０の支持部１１４は、図４（ｂ）に示す固定具である吸盤１２０の略中央部にある凸部の穴１２４に差し込まれ、穴１２４を貫通して固定される。カバー１３０は、可撓性を有する薄い板状であって、枠体１１０に被せられる。後述するように枠体には取付け部が設けられ、該板状のカバーは取付け部に挟み込まれて、枠体に沿って湾曲して取り付けられる。該カバーは容易に着脱できるため衛生的に使用できる。
【００３２】
枠体１１０の形状は略矩形であるが、後述するように対向する２辺が曲がっている。枠体がプラスチックから形成される場合も、図４に示すように、枠体の上部の辺の中央部分に屈曲部１１３を有する形状である。枠体１１０の屈曲部１１３は、後述するように、便器尿垂れ補助装置１００が便器に取り付けられた場合、便器側の向きに湾曲している。
【００３３】
また、図２においては、枠体１１０は水平面より上方に略４５度傾いて固定具に設置されるが、傾斜角度は例示であって、これに限定されるものではない。さらに、図１において、枠体の矩形部分の辺の長さは略１３ｃｍから１５ｃｍとなっているが、この大きさは例示であってが、これに限定するものではない。
【００３４】
便器尿垂れ補助装置１００は、以上のように種々の形状を有する便器２００に設置されることで、小便の出し終わりの垂れを受け止めて、便器から尿が漏れることを防ぐことができる。また、後述するように、枠体１１０の上部の中央部分は屈曲していて、それにより小便の出し終わりの垂れを効果的に受け止められる。
【００３５】
以下、便器尿垂れ補助装置１００を構成する枠体１１０、固定具１２０及びカバー１３０の詳細について、それぞれ図５、図６を用いて説明する。
【００３６】
図５（ａ）は、本発明に係る便器尿垂れ補助装置１００を構成する枠体の上面図であり、（ｂ）は、枠体１１０の上面図であって、ねじを外した様子を表す説明図ある。（ｃ）は本発明に係る便器尿垂れ補助装置の正面図である。図６は、枠体の側面図である。
【００３７】
枠体１１０は、略矩形の領域を囲む枠状の部材である。枠体１１０の材質は、被膜された金属またはプラスチック材料などである。また枠体１１０の断面は、図７の断面図（ｂ）に示すように、例えば略円状である。また枠体１１０は、便器尿垂れ補助装置におけるカバー１３０を被せるための矩形部分１１１を有する。
【００３８】
図５の正面図（ｃ）に示すように、枠体１１０が囲む領域の全体的な形状は、矩形であるが、対向する２辺のそれぞれに、ねじを介して枠の外側に延びる支持部１１４を有する。枠体１１０の支持部１１４は、後述するように、固定具１２０に差し込まれる。
【００３９】
また、枠体は、枠体上部の長手方向の中間付近に、図５の正面図（ｃ）の紙面奥方向に折れ曲がる屈曲部１１３を有する。枠体１１０の屈曲部１１３は、後述するように、便器尿垂れ補助装置１００が便器に取り付けられた場合、便器側の向きに湾曲している。このとき枠体の矩形部分１１１は、水平面より上方に略４５度傾いて、固定具に設置される。また、枠体の矩形部分１１１の枠体上部の長さは略１３ｃｍから１５ｃｍであるが、これに限定するものではない。
【００４０】
図５の正面図（ｃ）に示すように、１１７は第１の辺であり、１１８は第２の辺であり、１１５は第３の辺であり、１１６は第３の辺１１５に対向する第４の辺である。また１０１は第３の辺１１５の略中央部に設けられたねじである。枠体１１０の矩形部分１１１は、互いに対向する第１の辺１１７及び第２の辺１１８と、前記第１及び第２の辺の一端において前記第１及び第２の辺を連結する第３の辺１１５と、第１の辺１１７及び第２の辺１１８の他端に連結し、前記第３の辺１１５に対向する第４の辺１１６を備える。さらに、第３の辺１１５及び対向する第４の辺１１６は、略中央付近にそれぞれ１個のねじ１０１を有し、このねじによって該２辺の角度を、小便の垂れを防止するのに最適な角度に変えられる。
【００４１】
通常小便器の尿受け部は、厚みや大きさ、形状等が製造メーカーによって大きく異っている。本発明の小便器補助装置の枠体１１０は、矩形部分１１１の第１の辺１１５の略中央付近のねじ１０１を調整することにより、様々な小便器尿受け部の形状に合わせて、第１の辺１１５のＶ字の曲がり具合を所望の角度に定められる。そして本発明の小便器補助装置は多種の小便器に容易に取り付けることができる。さらに、第３の辺１１５に対向する第４の辺１１６の略中央付近にもねじ１０１を有することで、枠体１１０の矩形部分１１１のＶ字形状はより安定化される。
【００４２】
また枠体１１０は、図５に示すように、第３の辺１１５に続く第１の辺１１７、第２の辺１１８のそれぞれに対して、他端から枠の外側に延びる支持部を有する。ここで１１４は支持部である。２本の支持部１１４は、第１の辺１１７、第２の辺１１８のそれぞれの端部と、ねじを介して連結している。１０２は、支持部と各辺を連結しているねじである。このねじ１０２によって、支持部１１４は第１、第２の辺に対する角度を可変に保つことができる。すなわち、枠体１１０の第１の辺１１７、第２の辺１１８と支持部１１４がねじ１０２を介して連結されていることにより、様々な形状を有する小便器の形状に合わせて、枠体１１０の矩形部分１１１と支持部１１４を所定の傾斜角度に保持して設置することが可能になる。これにより、小便器の尿受け部の形状や位置の違いに関わらず枠体の傾きを適切な角度に定められ、尿受けするという効果が向上する。
【００４３】
さらに枠体１１０は、枠体の辺上に、枠体１１０に着脱可能に被せるカバー１３０を設置するための取付け部を有する。該取付け部は、板状のカバー１３０を挟み込む構造を有する。図５に示すように、１０３は、第１の辺１１７、第２の辺１１８上に設けられた取付け部である。該取付け部１０３は、枠体の対向する第１の辺１１７、第２の辺１１８上のそれぞれ２か所の対向する位置に、枠の外側に向けて配置される。板状のカバー１３０は、この４か所の取付け部１０３に差し込まれ、支持部に挟み込まれることで枠体に固定される。板状のカバーは薄いプラスチック製であり撓むため、枠の形状に合わせて曲がる。図５においてカバー１３０は、板状であるが、使い捨てできる袋状シートであってもよい。いずれの場合もカバー１３０の着脱は容易であり、洗浄や交換が容易にできるため衛生的に使用できる。
【００４４】
取付け部１０３は、図５の正面図（ｃ）、上面図（ｂ）及び図６の側面図に示すように、板を挟み込む構造を有する。板状カバーは、４か所の該取付け部に挟み込まれて固定され、枠体上に設置される。また取付け部は、図５及び図６に示すように、第１の辺１１７、第２の辺１１８上に、枠体を形成するビニール等で被膜された金属の一部を、枠の外側に向けて曲げて作られる。
【００４５】
また、図５（ｂ）の説明用上面図に示すように、取付け部１０３は、板状のカバーを挟み込む構造になっている。正面図（ｃ）に示すように、該取付け部は、枠体の辺１１７及び１１８上に４個設けられ、挟み込まれた板を固定する。
【００４６】
図６の側面図、図５の上面図（ｂ）に示すように、取付け部１０３は、枠の外側に向けて、枠体を形成する金属の一部を曲げて形成され、板状のカバーを挟み込む構造としている。図５正面図（ｃ）に示すように、１個の取付け部は、互いに対向し略１５ミリメートル離れて設置された２つの部分から成る。該取付け部は、辺１１７、辺１１８のそれぞれ２か所に、適当な間隔を空けて対向して配置される。ただし図５に示す取付け部の形状は例示であって、これに限るものではない。例えば、１個の取付け部は対向する２つの部分から成るのではなく、１つの部分のみでもかまわない。また、取付け部１０３は、枠体を構成する金属の一部を曲げて作られるほかに、スポット溶接等を用いて、辺１１７、辺１１８上の適当な位置に、後付で設けられても良い。また枠体は、ビニール等で被膜された金属ではなくプラスティックから形成される場合には、取付け部１０３は枠体と一体化して成形されても良い。
【００４７】
これにより、公衆の小便器に設置して、小便の出し終わりの垂れを防ぐことができる。また、プラスティックまたは被膜された金属などの安価な素材で、種々の形状の公衆便器に、安易に取り付けられる便器尿垂れ補助装置を製造することができる。そのため、公衆便所の衛生環境の向上に貢献する便器尿垂れ補助装置を提供できる。
【００４８】
さらに、便器尿垂れ補助装置は、前記カバーの表面に所定の模様が形成されていることを特徴とするものであっても良い。所定の模様とは、デザイン、絵柄、川柳などである。ここでカバーの表面とは、便器尿垂れ補助装置を使用する際に、小便が流れる側の面を指す。
【００４９】
この場合使用者は、小便器を使用中に、該デザイン、絵柄、川柳などを書かれた箇所に集中するという効果を生じて、更に尿垂れを防止するという効果が向上する。
【００５０】
以下、本発明のその他の実施形態に係る便器尿垂れ補助装置を、図面を用いて説明する。
【００５１】
図７は、便器尿垂れ補助装置１００を構成する枠体１１０の別例である。（ａ）は枠体の正面図であり、（ｂ）はＡ−Ａ線断面図である。この別例の枠体において、枠体の矩形部分の第４の辺および枠体の支持部について、それらの形状が実施の形態１と異る。ただし、図７では実施の形態１と同様の部分については省略してあり、図５と異なる点を主に図示している。
【００５２】
枠体は、第３の辺１１５の中間付近に、図７の正面図（ａ）の紙面手前方向に折れ曲がる屈曲部１１３を有し、屈曲部１１３は、図７の断面図（ｂ）に示されるように、略２０度の傾斜を有する。図７正面図（ａ）に示すように、枠体１１０が、互いに対向する第１の辺１１７及び第２の辺１１８と、前記第１の辺１１７及び第２の辺１１８の一端において、前記第１の辺１１７及び第２の辺１１８を連結する第３の辺１１５を備えることについては、実施の形態１と同様である。しかし実施の形態１と異なり、図７（ａ）に示すように、第３の辺１１５に対向する第４の辺は無い。そして第３の辺１１５の略中央部にねじがあって、第３の辺１１５が種々の形状を有する小便器に合わせて、曲がることについては実施の形態１と同様であるが、第４の辺の略中央部に備えられるねじはない。ただし、図７では第３の辺１１５の中央部のねじは省略されている。
【００５３】
また、枠体１１０は、第３の辺１１５に続く第１の辺１１７、第２の辺１１８のそれぞれに対して、他端から枠の外側に延びる支持部１１４を有し、該支持部１１４は第１の辺１１７、第２の辺１１８の端部でねじにより連結され、種々の形状を有する小便器に合わせて、傾斜角度を調整できることについては、実施の形態１と同様である。ただし、該支持部と辺１１７，１１８を繋ぐねじは、図７では省略されている。しかし、支持部の形状については、実施の形態１と異なっている。図７に示すように、支持部１１４はそれぞれ、第３の辺１１５に対向する向きに、第１の辺１１７，第２の辺１１８に対して９０度曲がり、更に両端は枠の外側に向けて、略９０度折れ曲がって並列に延在している。
【００５４】
このように、本便器尿垂れ補助装置は、第４の辺がなく、枠体の支持部の形状が実施の形態１とは異なるが、種々の形状を有する小便器に合わせて、第３の辺１１５が曲げられること、そして枠体が最適な傾斜角度を保って便器に設置できることは、実施の形態１と同様であり、よって図７に示す便器尿垂れ補助装置も種々の形状を有する小便器に設置できて、効果的に尿垂れを防止することができる。
【００５５】
図８は、便器尿垂れ補助装置１００を構成する枠体１１０の別例の概略図である。（ａ）は本発明に係る便器尿垂れ補助装置の枠体の上面図である。（ｂ）は便器尿垂れ補助装置の枠体の正面図である。
【００５６】
枠体の形状は実施の形態１では、略矩形ではあったが、この別例においては略三角形である。主に、枠体の形状が異なること以外は実施の形態１と同様であるため、図８においては、実施の形態１と同様の部分は省略してあり、図５と異なる点を主に図示している。
【００５７】
枠体１１０が、互いに対向する第１の辺１１７及び第２の辺１１８と、前記第１及び第２の辺の一端において前記第１及び第２の辺を連結する第３の辺１１５を備えることについては、実施の形態１と同様である。しかし、実施の形態１と異なり枠体の形状は略三角形であって、第３の辺１１５に対向する第４の辺が無い。また、第４の辺の略中央部に備えられていたねじもない。しかし、実施の形態１と同様に、第３の辺１１５の略中央部にはねじ１０１があって、第３の辺１１５が、種々の形状を有する小便器に合わせて曲がる点については実施の形態１と同様である。よってこの別例の便器尿垂れ補助装置の場合も、種々の形状を有する小便器の形状に合わせて、枠体の辺を曲げることができる。そして最適な形状の枠体を便器に設置でき、効果的に尿垂れを防止することができる。
【００５８】
また、枠体１１０は、第３の辺１１５に続く第１の辺１１７、第２の辺１１８のそれぞれに対して、他端から枠の外側に延びる支持部１１４を有すること、また、該支持部１１４は第１の辺１１７、第２の辺１１８の端部でねじ１０２により連結され、種々の形状を有する小便器に合わせて、傾斜角度を調整できることについても実施の形態１と同様である。
【００５９】
しかし枠体の形状は、実施の形態１と異なり、図８に示すように、第１の辺１１７と第２の辺１１８及びそれぞれの端部から延びる支持部は、二等辺三角形の２辺となり、二等辺三角形の頂点の一つとして交点を形成する。枠体は、その形状が三角形で、装置を便器に設置した際に、便器の下部に向かって狭くなっている形状であるため、小便器の尿受け部が細長いV字形状を有するタイプの便器にも容易に設置することができる。
【００６０】
また、この三角形形状の枠体に被せるカバー１３０は、例えば、使い捨てできる袋状シートを使用する。
【００６１】
種々の形状を有する小便器に合わせて、第３の辺が曲げられること、そして枠体が最適な傾斜角度を保って便器に設置できることは、実施の形態１と同様であり、よってこの便器尿垂れ補助装置も種々の形状を有する小便器に設置できて、効果的に尿垂れを防止することができる。
【００６２】
実施の形態１では、可撓性を有する薄いプラスチック製の板状のカバーを使用したが、カバーは袋状シートであっても良い。該袋状シートについて、図９を使って説明する。
【００６３】
図９は、枠体１１０に被せるカバー１３０Ａの正面図（ａ）と、Ｂ−Ｂ線断面図（ｂ）である。図９正面図（ａ）において、１３１は第１の面であり、１３２は第２の面である。１３３は重りである。
【００６４】
カバー１３０Ａは、枠体１１０に着脱可能に被せて使用する。カバー１３０Ａは使い捨てて使用でき、衛生的であり、かつ安価である。図９に示すようにカバー１３０Ａの形状は、矩形の袋状であり、袋状に綴じられて対向する第１及び第２の面１３１と１３２のうちの第１の面１３１が第２の面１３２よりも長い。
【００６５】
後述するように、便器尿垂れ補助装置を便器に取り付けた場合、カバーの便器側に長い第１の面１３１を向け、使用者側に短い第２の面１３２を向けて使用する。カバー１３０Ａは、上述のように枠体１００に被せて使用するので、着脱が容易である。
【００６６】
またカバー１３０Ａには、便器側の面（第１面）１３１の先端付近に、重り１３３が取り付けられている。重り１３３は、例えば砂鉄などの軽い重りでよい。カバー１３０Ａに重り１３３をつけておくことで、便器尿垂れ補助装置の使用中にカバーがめくれ上がることを抑制する。
【００６７】
おもり１３３の付いている第１の面１３１を便器側に向け、他方の第２の面１３２を使用者側に向けて、枠体１１０にカバー１３０Ａを被せる。図９に示す第１の面１３１の先端に付けられたおもり１３３によって、排尿中にカバー１３０Ａがめくれ上がることを抑制できる。また、第２の面１３２が第１の面１３１よりも短いことにより、カバー１３０Ａの着脱を容易にでき、使用済みのカバー１３０Ａを取り換えることで衛生的に使用できる。また、図９に示すカバーは枠体が矩形の場合であるが、これに限るものではなく、図８に示すような枠体が略三角形の場合には、枠体に被せる袋状シートは三角形であっても良い。
【００６８】
実施の形態１では、固定具に吸盤を使用し、吸盤の吸着力によって枠体を固定したが、固定具はサイコロ状の固定具であっても良い。サイコロ状の固定具について、図１０を使って説明する。
【００６９】
図１０は、本発明に係る便器尿垂れ補助装置１００を構成する固定具１２０Ａの正面図（ａ）と、側面図（ｂ）、（ｃ）である。正面図（ａ）において、１２２は凹み部分であり、１２１はサイコロ状部である。１２３は固定部であり、固定部は接着面からなる。１２４Ａはサイコロ状部１２１に設けられた割れ目である。
【００７０】
固定具１２０Ａは、枠体１１０を便器に固定するための部材である。固定具１２０Ａは、弾力性を有するプラスチック素材によって形成される。固定具１２０Ａは、図６に示すように接着面１２３を有し、様々な形状の便器の内側に接着面１２３を接着して、設置する。
【００７１】
固定具１２０Ａは、略直方体の長辺方向の接着面１２３を除く他の３面の中央部に凹みを有する形状であり、凹みを挟む固定具の両端は、略２ｃｍのサイコロ状である。また、２つのサイコロ部１２１の水平面側の面には中央部に貫通する割れ目１２４Ａを有する。割れ目１２４Ａは、サイコロ部分１２１において、枠体１１０の支持部１１４を差し込んで保持するために設けられている。
【００７２】
便器との接着面１２３は、側面図（ｃ）に示すように、長方形である。固定具１２０Ａは、本体中央部に凹みを有するために、柔軟に変形でき、様々な便器の形状に対応して固定できる。
【００７３】
次に、本発明の便器尿垂れ補助装置１００の取り付け方法について、図２、図４、図６を用いて説明する。
【００７４】
枠体１１０の第３の辺１１５のねじ１０１を、設置する便器の形状に合わせて調整し、辺のV字形状を適切な角度になるように設定する。次に図４に示すように、枠体１１０の支持部１１４を吸盤１２０の中央凸部の穴１２４に、差し込んで貫通させ、便器の形状に合わせて長さを調整する。
【００７５】
次に、固定具１２０の吸盤を、図２及び図４に示すように、便器の使用者側に凸型に突出している部分２００の上部の内壁に吸着によりつけて、枠体を便器に設置する。次に、支持部と第１の辺１１７、第２の辺１１８をそれぞれ連結するねじ１０２を調整して、設置する便器の形状に合うように、適切な枠体の傾斜角度を設定する。最後に板状のカバー１３０を枠体の取付け部に差し込んで、挟み込ませる。そして図２に示すように、本発明の便器尿垂れ補助装置１００は、便器の使用者側に凸型に突出している部分２００に固定される。ただし上述した便器尿垂れ補助装置１００を取り付ける順序は例示であって、これに限るものではない。
【００７６】
また、便器尿垂れ補助装置を便器に固定する方法としては、固定具１２０として上述の吸盤を利用する以外に、万力を利用して便器に取り付ける方法もある。さらには、バネを内在するハサミを用いてバネの弾性力によって便器尿垂れ補助装置を便器に固定する方法もある。いずれの場合においても固定具は容易に取り外しができるとともに強固に固定することが可能である。
【符号の説明】
【００７７】
１００      便器尿垂れ補助装置
１１０      枠体
１２０      固定具
１３０      カバー
１１１      枠体の矩形部分
１１２      枠体上部
１１３      屈曲部
１１４      枠体の支持部
１１５      第３の辺
１１６      第４の辺
１１７      第１の辺
１１８      第２の辺
１０１      ねじ
１０２      ねじ
１０３      取付け部
１２４      吸盤の中央軸部の穴
１２０Ａ    サイコロ状固定具
１２１      固定具サイコロ状部
１２２      固定具凹み部分
１２３      固定具の接着面
１２４Ａ    固定具の割れ目
１３０Ａ    袋状カバー
１３１      カバー第１の面
１３２      カバー第２の面
１３３      重り
２００      便器の突出部
２１０      便器
【図１】
0006435998.tif 000002
【図２】
0006435998.tif 000003
【図３】
0006435998.tif 000004
【図４】
0006435998.tif 000005
【図５】
0006435998.tif 000006
【図６】
0006435998.tif 000007
【図７】
0006435998.tif 000008
【図８】
0006435998.tif 000009
【図９】
0006435998.tif 000010
【図１０】
0006435998.tif 000011